(57)【特許請求の範囲】
【請求項１】
ケース基体（１）と、該ケース基体（１）の一端部に開閉自在に装着されたケース蓋体（２）と、前記ケース基体内（１）に入れ子として嵌合され曲げ弾性のある樹脂で一体成形されたディスク保持板（３）とを備えたディスク収納ケース（１０）において、前記ケース蓋体（２）の一方の端部に係止片（１７）からなる係合部を形成し、前記ディスク保持板（３）の一方の端部に前記係止片（１７）と係合するリブ（２３）と、前記リブ（２３）から水平に伸びる押圧ボタン（２４）からなる係止・解除手段（２２）を形成し、前記ディスク保持板（３）の他方の端部にケース蓋体（２）の係止を解除したときにケース蓋体（２）を上方向に付勢する切起片からなる付勢手段（２５）を前記ディスク保持板と一体に形成して設け、前記ディスク保持板（３）に形成される係止・解除手段（２２）と付勢手段（２５）を一方の側に対向して配置したことを特徴とするディスク収納ケース。
【発明の詳細な説明】
【０００１】
【発明の属する技術分野】
本発明は、コンパクトディスク（ＣＤ）、デジタルビデオディスク（ＤＶＤ）等の円板状記録媒体（以下、単にディスクという）を収納するケースに関する。
【０００２】
【従来の技術】
従来からディスク収納ケースは、ディスク中央の穴を係合させる弾性固定手段が、ケース基体と一体に形成されているものと、ケース基体の中に入れ子として嵌合されるディスク保持板に形成されているものとがある。
【０００３】
後者のディスク保持板に弾性固定手段が形成されたものは、図５に示すように、ケース基体１の一端部にケース蓋体２の一端部が回動可能に設けられ、ケース基体１内にディスク保持板３が入れ子として嵌合されたディスク収納ケースであり、このディスク保持板３にディスク中央の穴を係合させる弾性固定手段４が形成されている。これらケース基体１およびケース蓋体２は剛性の樹脂でそれぞれ一体成形されており、ケース蓋体２の一端部両側の突出軸５がケース基体１の一端部両側の凹部軸孔と嵌合軸支されて開閉自在にされている。ディスク保持板３は、弾性固定手段４の機能を達成し、また入れ子として嵌合し易いように曲げ弾性を有する樹脂で一体成形されている。
【０００４】
また、ケース蓋体２の側壁６の両側には係合突起７が形成されるとともに、ケース基体１の側壁８の両側には係合凹部９が形成され、ケース蓋体２をケース基体１に閉止したとき、両側壁６、８の弾性により係合突起７が係合凹部９に係合され、ケース蓋体２がケース基体１に係合状態に保持される構造になっている。
【０００５】
【発明が解決しようとする課題】
しかしながら、上記従来のディスク収納ケースにおいては、ディスクを収納ケースから取り出すときも、ディスクをディスク収納ケースに収納するときも、ケース蓋体２とケース基体１を両手で把持し、係合突起７と係合凹部９の係合を相応の力を作用させて解除しなければならず、ディスク収納ケースの開閉操作に難点があるという問題を有している。また、ケース蓋体とケース基体の直接の係止には係合部位の寸法精度が要求されるという問題を有している。
【０００６】
本発明は、上記従来の問題を解決するものであって、ディスクの収納およびケース蓋体の開閉を片手でワンタッチで行うことができるディスク収納ケースを提供することを目的とする。
【０００７】
【課題を解決するための手段】
上記課題を解決するために、本発明の請求項１記載のディスク収納ケースは、ケース基体（１）と、該ケース基体（１）の一端部に開閉自在に装着されたケース蓋体（２）と、前記ケース基体内（１）に入れ子として嵌合され曲げ弾性のある樹脂で一体成形されたディスク保持板（３）とを備えたディスク収納ケース（１０）において、前記ケース蓋体（２）の一方の端部に係止片（１７）からなる係合部を形成し、前記ディスク保持板（３）の一方の端部に前記係止片（１７）と係合するリブ（２３）と、前記リブ（２３）から水平に伸びる押圧ボタン（２４）からなる係止・解除手段（２２）を形成し、前記ディスク保持板（３）の他方の端部にケース蓋体（２）の係止を解除したときにケース蓋体（２）を上方向に付勢する切起片からなる付勢手段（２５）を前記ディスク保持板と一体に形成して設け、前記ディスク保持板（３）に形成される係止・解除手段（２２）と付勢手段（２５）を一方の側に対向して配置したことを特徴とする。
以上
【０００８】
【発明の実施の形態】
以下、本発明の実施の形態を図面を参照しつつ詳細に説明する。図１〜図４は、本発明のディスク収納ケースの１実施形態を示し、図１（Ａ）は全体構成を示す平面図、図１（Ｂ）は同側面図、図２（Ａ）は図１のケース基体の平面図、図２（Ｂ）は同側面図、図３（Ａ）は図１のケース蓋体の平面図、図３（Ｂ）は図３（Ａ）のＢ−Ｂ線で切断し矢印方向に見た断面図、図４（Ａ）は図１のディスク保持板の平面図、図４（Ｂ）は図４（Ａ）のＢ−Ｂ線で切断し矢印方向に見た断面図、図４（Ｃ）は側面図である。なお、各図面間で同一の構成については同一番号を付して説明を省略する場合がある。
【０００９】
図１において、本実施形態のディスク収納ケース１０は、剛性を有する樹脂で成形されたケース基体１と、同じく剛性を有する樹脂で成形され、ケース基体１の一端部に回動可能に装着されたケース蓋体２と、可撓性を有する樹脂で成形され、ケース基体１内に入れ子として嵌合されたディスク保持板３とから構成されている。
【００１０】
ケース基体１には、図２に示すように、両側壁８の一端部に凹部軸孔１１が形成され、また、両側壁８にはそれぞれ二つの係止孔１２が形成されている。この係止孔１２はディスク保持板３を固定するためのものである。なお、１ａは前壁、１ｂは後壁を示している。
【００１１】
ケース蓋体２には、図３に示すように、その一端部両側に突出軸５が形成され、前記ケース基体１の凹部軸孔１１に嵌合軸支され、ケース蓋体２がケース基体１に対して開閉可能にされている。
【００１２】
ケース蓋体２の両側壁６にはそれぞれ二つの係止爪１３が側壁６と直角な水平方向に突出するように形成され、また、ケース蓋体２の蓋部１４の他端部には蓋部１４と直角な垂直方向に突出する係止リブ１５が形成されている。これら係止爪１３および係止リブ１５は、ディスクの内容を表示したインデックスレーベル（図示せず）を挿入、係止するためのものである。
【００１３】
また、ケース蓋体２の両側壁６間の長さは、ケース基体１の両側壁８間の長さとほぼ同じで、ケース蓋体２の両側壁６と直角方向の長さは、ケース基体１の前壁１ａと後壁１ｂ間の長さより短く、かつ、蓋体１４の他端部は、曲線状に形成されており、本実施形態においては、図で右上端部に押圧ボタン露出部１６が形成され、蓋部１４から露出部１６に係止片１７が突出するように形成されている。
【００１４】
図４に示すように、ディスク保持板３の中央部には、円形のディスク収納部１９が形成されるとともに、ディスク収納部１９の中心にディスク中央の穴を係合させる弾性固定手段２０が突設され、また、ディスク収納部１９の外周には、ディスクに指を掛けやすくするための指挿入部２１が複数形成されている。ディスク保持板３のサイズはケース基体１とほぼ同じである。
【００１５】
ディスク保持板３の図４で右上端部には、係止・解除手段２２が形成されている。この係止・解除手段２２は、ディスク保持板３から上方に延びる複数のリブ２３と、複数のリブ２３上で水平なプレート状に形成された押圧ボタン２４とからなり、押圧ボタン２４を指で押圧したとき、リブ２３の作用より、図４（Ｂ）で示す矢印方向（斜め下方）に移動可能にされている。また、ディスク保持板３の図４で左上部には、切起片からなる付勢手段２５が形成されている。
【００１６】
すなわち、ディスク保持板３には、ケース蓋体２を閉状態に維持する係止手段と、ケース蓋体２を開可能にする解除手段と、ケース蓋体２の係止を解除したときにケース蓋体を付勢する付勢手段とが設けられている。
【００１７】
図４（Ｃ）に示すように、ディスク保持板３の両側壁２７にはそれぞれ二つの突起２８が形成され、この突起２８の両側に弾性機能をもたせるための切欠２９が形成されている。
【００１８】
上記構成からなるディスク収納ケースの組立方法について説明する。先ず、ディスク保持板３の当接部２６をケース基体１の後壁１ｂに当接し、ディスク保持板３をケース基体１内に押し込んでいくと、突起２８が係止孔１２内に嵌合され、ディスク保持板３がケース基体１内に嵌合、固定される。次に、ケース蓋体２の突出軸５をケース基体１の凹部軸孔１１に嵌合軸支させ、ケース蓋体２を取り付ける。
【００１９】
上記構成からなる本実施形態の作用について説明する。図１はケース基体１とケース蓋体２が閉じられた状態を示し、この状態から係止・解除手段２２の押圧ボタン２４を指で押圧すると、押圧ボタン２４が図４（Ｂ）で示す矢印方向（斜め下方）に移動し、係止片１７の係合が解除されると同時にケース蓋体２は付勢手段２５により付勢、押し上げられてケース蓋体２をワンタッチで開くことがで、中にあるディスクを片手のみの操作で取り出すことができる。
【００２０】
ディスクを収納するときには、片手でディスクを収納した後、その片手でケース蓋体２を押圧すると、係止片１７が押圧ボタン２４を押圧し、押圧ボタン２４が図４（Ｂ）で示す矢印方向（斜め下方）に移動し、係止片１７が押圧ボタン２４を乗り越えて押圧ボタン２４の下面に入り込むと、押圧ボタン２４は元の位置に戻り、ケース蓋体２は係止状態になる（図１の状態）。この状態では、付勢手段２５はケース蓋体２により押圧され、弾性収縮されている。
【００２１】
以上、本発明の実施の形態について説明したが、本発明はこれに限定されるものではなく、また、従来公知または周知の技術を必要に応じて置換または付加することが可能である。例えば、上記実施形態においては、係止・解除手段２２が設けられていない側が捻れて浮き上がるのを防ぐために、係止・解除手段２２と付勢手段２５をディスク保持板３の一方の側に対向して配置しているが、材料の選択あるいは構造上の工夫で捻れが生じない場合には、係止・解除手段２２と付勢手段２５をディスク収納部１９の対角線上に対向して配置するようにしてもよい。
【００２２】
【発明の効果】
ディスクを収納する操作だけであれば従来のディスク収納ケースでも片手操作で可能であったが、本発明のディスク収納ケースにおいては、ディスク保持板を操作してケース蓋体の係止・解除をするだけでケース蓋体が上方へ開き得るので、ディスクの取り出しも片手操作で可能になる。
【００２３】
また、ケース蓋体とケース基体の直接の係止には係合部位の寸法精度が要求されるが、ケース基体に入れ子として嵌合されたディスク保持板がケース蓋体を係止するので、ケース蓋体とケース基体とを直接係止させる場合よりも係止・解除をさせる係合部の可動範囲を大きくすることができ、寸法精度の要求度は低くてもよくなる。
【００２４】
さらに、係止・解除手段および付勢手段は、ディスク保持板の曲げ弾性のある特性を利用した一体型の構造にすることができる。
【図面の簡単な説明】
【図１】本発明のディスク収納ケースの１実施形態を示し、図１（Ａ）は全体構成を示す平面図、図１（Ｂ）は同側面図である。
【図２】図２（Ａ）は図１のケース基体の平面図、図２（Ｂ）は同側面図である。
【図３】図３（Ａ）は図１のケース蓋体の平面図、図３（Ｂ）は図３（Ａ）のＢ−Ｂ線で切断し矢印方向に見た断面図である。
【図４】図４（Ａ）は図１のディスク保持板の平面図、図４（Ｂ）は図４（Ａ）のＢ−Ｂ線で切断し矢印方向に見た断面図、図４（Ｃ）は側面図である。
【図５】従来のディスク収納ケースの１例を示す側面図である。
【符号の説明】
１…ケース基体
２…ケース蓋体
３…ディスク保持板
１７…係止片
２２…係止・解除手段
２５…付勢手段
【図１】
0003865216.tif 000002
【図２】
0003865216.tif 000003
【図３】
0003865216.tif 000004
【図４】
0003865216.tif 000005
【図５】
0003865216.tif 000006